(57)【特許請求の範囲】
【請求項１】
車両の床下に配置された燃料タンクと、
車両の床下で、かつ前記燃料タンクの車体後方側に配置され、前記車両に搭載された走行用モーターを駆動する動力源となる電池パックと、
を備え、
前記電池パックの車体後方上側に前記燃料タンクへ燃料を供給するための給油口が配置されており、前記電池パックの車体上方側に、前記燃料タンクと前記給油口とを繋ぐインレットパイプが配管されている車両床下構造。
【請求項２】
前記電池パックの上面に、前記インレットパイプの一部が配置される上凹部が形成されている請求項１に記載の車両床下構造。
【請求項３】
前記電池パックの車体下方側に、エンジンから車体後方側へ延びた排気管が配管されている請求項１又は請求項２に記載の車両床下構造。
【請求項４】
前記電池パックの下面に、前記排気管の一部が配置される下凹部が形成されている請求項３に記載の車両床下構造。
【請求項５】
前記電池パックの下面に、エンジンから車体後方側へ延びた排気管の一部が配置される下凹部が形成されており、
前記上凹部と前記下凹部とが、平面視で互いに離間して形成されている請求項２に記載の車両床下構造。
【請求項６】
前記電池パックと前記排気管との間には、断熱材が配置されている請求項３〜請求項５の何れか１項に記載の車両床下構造。
【発明の詳細な説明】
【技術分野】
【０００１】
本発明は、車両床下構造に関する。
【背景技術】
【０００２】
車両の床下に電池パックが配置されるとともに、車両の床下で、かつ電池パックの車体後方側に燃料タンクが配置された構造は、従来から知られている（例えば、特許文献１参照）。
【先行技術文献】
【特許文献】
【０００３】
【特許文献１】特開２０１４−１９２６０号公報
【発明の概要】
【発明が解決しようとする課題】
【０００４】
しかしながら、電池パックの車体後方側に燃料タンクが配置されていると、車両の後面衝突時には、その燃料タンクに衝突荷重が入力され、その燃料タンクが破損するなどの不具合が発生する懸念がある。このように、車両の後面衝突時において、燃料タンクへの衝突荷重の入力を低減させる構造には、未だ改善の余地がある。
【０００５】
そこで、本発明は、車両の後面衝突時において、燃料タンクへの衝突荷重の入力を低減できる車両床下構造を得ることを目的とする。
【課題を解決するための手段】
【０００６】
上記の目的を達成するために、本発明に係る請求項１に記載の車両床下構造は、車両の床下に配置された燃料タンクと、車両の床下で、かつ前記燃料タンクの車体後方側に配置され、前記車両に搭載された走行用モーターを駆動する動力源となる電池パックと、を備え、前記電池パックの車体後方上側に前記燃料タンクへ燃料を供給するための給油口が配置されており、前記電池パックの車体上方側に、前記燃料タンクと前記給油口とを繋ぐインレットパイプが配管されている。
【０００７】
請求項１に記載の発明によれば、燃料タンクの車体後方側に電池パックが配置されている。したがって、車両の後面衝突時において、燃料タンクへ衝突荷重が伝達されるのが電池パックによって抑制される。つまり、車両の後面衝突時において、燃料タンクへの衝突荷重の入力が低減される。
【０００８】
また、電池パックの車体後方上側に燃料タンクへ燃料を供給するための給油口が配置されており、電池パックの車体上方側に、燃料タンクと給油口とを繋ぐインレットパイプが配管されている。
【０００９】
したがって、車両の走行時に、飛び石などにより、インレットパイプに対して衝撃が加えられるのが抑制される。つまり、インレットパイプが電池パックによって保護される。
【００１０】
また、請求項２に記載の車両床下構造は、請求項１に記載の車両床下構造であって、前記電池パックの上面に、前記インレットパイプの一部が配置される上凹部が形成されている。
【００１１】
請求項２に記載の発明によれば、電池パックの上面に、インレットパイプの一部が配置される上凹部が形成されている。したがって、車両の衝突時に、インレットパイプが電池パックによって保護される。
【００１２】
また、請求項３に記載の車両床下構造は、請求項１又は請求項２に記載の車両床下構造であって、前記電池パックの車体下方側に、エンジンから車体後方側へ延びた排気管が配管されている。
【００１３】
請求項３に記載の発明によれば、電池パックの車体下方側に、エンジンから車体後方側へ延びた排気管が配管されている。したがって、インレットパイプが排気管から離間して配置され、排気管によるインレットパイプへの熱害が低減される。
【００１４】
また、請求項４に記載の車両床下構造は、請求項３に記載の車両床下構造であって、前記電池パックの下面に、前記排気管の一部が配置される下凹部が形成されている。
【００１５】
請求項４に記載の発明によれば、電池パックの下面に、排気管の一部が配置される下凹部が形成されている。したがって、車高の低い車両であっても、排気管の搭載スペースが確保される。
【００１６】
また、請求項５に記載の車両床下構造は、請求項２に記載の車両床下構造であって、前記電池パックの下面に、エンジンから車体後方側へ延びた排気管の一部が配置される下凹部が形成されており、前記上凹部と前記下凹部とが、平面視で互いに離間して形成されている。
【００１７】
請求項５に記載の発明によれば、上凹部と下凹部とが、平面視で互いに離間して形成されている。したがって、上凹部と下凹部とが、平面視で互いに同一位置に形成されている構成に比べて、電池パックの厚さが局部的に薄くなるのが抑制され、電池パックの厚さがほぼ均一に確保される。
【００１８】
また、請求項６に記載の車両床下構造は、請求項３〜請求項５の何れか１項に記載の車両床下構造であって、前記電池パックと前記排気管との間には、断熱材が配置されている。
【００１９】
請求項６に記載の発明によれば、電池パックと排気管との間に断熱材が配置されている。したがって、排気管による電池パックへの熱害が低減される。
【発明の効果】
【００２０】
請求項１に係る発明によれば、車両の後面衝突時において、燃料タンクへの衝突荷重の入力を低減させることができる。
【００２１】
また、請求項１に係る発明によれば、インレットパイプを電池パックによって保護することができる。
【００２２】
請求項２に係る発明によれば、車両の衝突時に、インレットパイプを電池パックによって保護することができる。
【００２３】
請求項３に係る発明によれば、排気管によるインレットパイプへの熱害を低減させることができる。
【００２４】
請求項４に係る発明によれば、車高の低い車両であっても、排気管の搭載スペースを確保することができる。
【００２５】
請求項５に係る発明によれば、電池パックの厚さが局部的に薄くなるのを抑制することができ、電池パックの厚さをほぼ均一に確保することができる。
【００２６】
請求項６に係る発明によれば、排気管による電池パックへの熱害を低減させることができる。
【図面の簡単な説明】
【００２７】
【図１】第１実施形態に係る車両床下構造を斜め上方から見て示す斜視図である。
【図２】第１実施形態に係る車両床下構造を斜め下方から見て示す斜視図である。
【図３】第１実施形態に係る車両床下構造を備えた車両を一部断面で示す側面図である。
【図４】第１実施形態に係る車両床下構造を備えた車両を示す底面図である。
【図５】図４のＸ−Ｘ線矢視断面図である。
【図６】図４のＹ−Ｙ線矢視断面図である。
【図７】第２実施形態に係る車両床下構造を構成する電池パックを示す図６に対応する断面図である。
【図８】第３実施形態に係る車両床下構造を備えた車両を示す底面図である。
【発明を実施するための形態】
【００２８】
以下、本発明に係る実施の形態について、図面に示す実施例を基に詳細に説明する。なお、説明の便宜上、各図において適宜示す矢印ＵＰを車体上方向、矢印ＦＲを車体前方向、矢印ＬＨを車体左方向とする。また、以下の説明で、特記することなく上下、前後、左右の方向を記載した場合は、車体上下方向の上下、車体前後方向の前後、車体左右方向（車幅方向）の左右を示すものとする。
【００２９】
＜第１実施形態＞
図１〜図５に示されるように、第１実施形態に係る車両床下構造１０は、車両１２の床を構成するフロアパネル１４の車体下方側で、かつ車体前後方向に離間した前輪６６の車軸と後輪６８の車軸との間に配置された燃料タンク２０と電池パック３０とを有している。車両１２の前部（左右の前輪６６の間）には、エンジン１６が搭載されており、燃料タンク２０には、そのエンジン１６へ供給する燃料としてのガソリンが貯留されている。
【００３０】
また、車両１２の前部（左右の前輪６６の間）には、前輪駆動用の走行用モーター（図示省略）が搭載されており、電池パック３０は、その走行用モーターを駆動する動力源となっている。つまり、この車両１２は、ガソリンだけではなく、電気でも走行可能な所謂ハイブリッド車となっている。そして、電池パック３０は、燃料タンク２０の車体後方側に近接して配置されている。換言すれば、燃料タンク２０は、電池パック３０の車体前方側に近接して配置されている。
【００３１】
詳細に説明すると、燃料タンク２０は、樹脂材によって平面視で略「Ｌ」字状に形成されており、車幅方向略中央部で車体前後方向に延在するメインタンク部２２と、メインタンク部２２の前部から左側（車幅方向外側）へ延在するサブタンク部２４と、を有している。メインタンク部２２は、正面視略等脚台形状に形成されており、フロアパネル１４の車幅方向略中央部に車体前後方向に延在するように形成された断面略等脚台形状のトンネル部１５内に配置されている。
【００３２】
そして、サブタンク部２４は、メインタンク部２２よりも高さの低い正面視略長方形状に形成されており、トンネル部１５の左側（車幅方向外側）におけるフロアパネル１４（前席５６）の車体下方側に配置されるようになっている。なお、メインタンク部２２とサブタンク部２４とは一体に形成されており、互いに連通されている。これにより、燃料タンク２０の容量が確保されるようになっている。
【００３３】
電池パック３０は、平面視で車幅方向が車体前後方向よりも長い略長方形状に形成されており、内部に電池セル３２（図６参照）を多数有している。電池パック３０は、後席５８の車体下方側における車幅方向略中央部に配置されており、その車幅方向外側には、左右一対のリアフロアメンバ１８が配置されている。
【００３４】
また、電池パック３０の車体後方上側には、燃料タンク２０へガソリンを供給するための給油口２６が配置されており、燃料タンク２０と給油口２６とがインレットパイプ２８によって連通接続されている。詳細には、インレットパイプ２８の前端部（一端部）が燃料タンク２０のメインタンク部２２の後端部に連通接続され、インレットパイプ２８の後端部（他端部）が給油口２６に連通接続されている。
【００３５】
そして、インレットパイプ２８は、電池パック３０の車体上方側に配管されている。詳細には、電池パック３０の上面における車幅方向略中央部には、断面略半円弧状とされて車体前後方向へ延在する上凹部３４（図６も参照）が形成されており、インレットパイプ２８の一部は、その上凹部３４内を通るように配置されて車体後方側（車体前方側）へ延在されている。
【００３６】
また、エンジン１６の車幅方向略中央部から車体後方側へ向けて排気管４０が配管されている。エンジン１６と燃料タンク２０との間における排気管４０の一部には触媒４２が連通接続されている。この触媒４２により、エンジン１６から排気管４０へ排出された排気ガス中の有害物質が酸化又は還元されて浄化されるようになっている。
【００３７】
触媒４２よりも車体後方側の排気管４０は、右側（車幅方向外側）へ向けて屈曲され、更に車体後方側へ向けて屈曲されている。つまり、この排気管４０は、燃料タンク２０のサブタンク部２４とは反対側（右側）のメインタンク部２２の側方を通って車体後方側へ延在されている。
【００３８】
なお、燃料タンク２０の右側方を通る排気管４０の一部は、２重管構造とされており、サブマフラー部４３とされている。また、その排気管４０の一部とフロアパネル１４との間には、車体前後方向に延在する断面略半円弧状の断熱部材３９が配置されている。
【００３９】
燃料タンク２０の右側方を通って車体後方側へ延在された排気管４０は、メインタンク部２２の後部において車幅方向内側（左側）へ向けて屈曲され、更に車体後方側へ向けて屈曲されている。したがって、メインタンク部２２の後部側における下面には、排気管４０を許容する底面視略矩形状の凹部２２Ａが形成されている。
【００４０】
そして、この排気管４０は、電池パック３０の車体下方側を通って車体後方側へ延在されており、燃料タンク２０の右側方を通る部分を除き、車両１２の車幅方向略中央部を通るように配管されている。
【００４１】
詳細には、電池パック３０の下面における車幅方向略中央部には、断面略半円弧状とされて車体前後方向へ延在する下凹部３６（図６も参照）が形成されており、排気管４０の一部は、その下凹部３６内を通るように配置されて車体後方側へ延在されている。なお、下凹部３６内には、断面略半円弧状とされて車体前後方向に延在する断熱材３８（図６も参照）が予め設けられており、排気管４０は、断熱材３８の車体下方側を通るように配管されている。
【００４２】
電池パック３０の下凹部３６内を通って車体後方側へ延在された排気管４０は、メインマフラー４４に連通接続されている。メインマフラー４４は、車幅方向が軸方向となる略楕円柱状に形成されており、排気管４０は、メインマフラー４４の前端部における車幅方向略中央部に連通接続されている。そして、メインマフラー４４の側部から車体後方側へ向けてマフラーカッター４６が延在されている。
【００４３】
また、図５に示されるように、フロアパネル１４の車幅方向外側端部１４Ａは、それぞれ車両１２の両側部で車体前後方向に延在された左右一対のロッカ５０のロッカインナパネル５２の下面に接合されている。そして、図４、図５に示されるように、ロッカ５０よりも車幅方向内側で、かつ燃料タンク２０よりも車幅方向外側におけるフロアパネル１４の下面には、車体前後方向に延在された左右一対のアンダーリインフォースメント６０が接合されている。
【００４４】
車体骨格部材としてのアンダーリインフォースメント６０は、断面略ハット型形状に形成されており、左右両側のフランジ部６０Ａがフロアパネル１４の下面に溶接等によって接合されることにより、閉断面形状を形成するようになっている。なお、燃料タンク２０の右側方を通る排気管４０の一部は、メインタンク部２２と右側のアンダーリインフォースメント６０との間を通るようになっている。
【００４５】
また、各アンダーリインフォースメント６０は、側面視で電池パック３０の車体前方側に配置される構成になっており、各アンダーリインフォースメント６０の前端部は、それぞれ車体前方側へ延在する左右一対のフロントサイドメンバ６２の後端部に一体的に接合されている。
【００４６】
また、フロアパネル１４の上面で、かつトンネル部１５の左右両側には、それぞれ前席５６（運転席及び助手席）を設けるための左右一対のシートレール５４が配置されている。各シートレール５４は、車体前後方向に延在されており、前席５６の車体前後方向の位置が調整可能となるように構成されている。
【００４７】
また、電池パック３０の車体後方側、即ち左右の後輪６８の間には、後輪駆動用の走行用モーター４８が設けられている。つまり、この車両１２は、前輪駆動と四輪駆動とに切り替え可能に構成されている。
【００４８】
また、各ロッカ５０の後端部におけるロッカインナパネル５２には、左右一対のリアサイドメンバ６４の前端部における外壁が接合されており、各リアサイドメンバ６４は車体後方側へ延在されている。そして、走行用モーター４８の前後両側には、左右のリアサイドメンバ６４の間を連結するリアサブフレーム６５が配置されている。
【００４９】
以上のような構成とされた第１実施形態に係る車両床下構造１０において、次にその作用について説明する。
【００５０】
上記したように、燃料タンク２０は、電池パック３０の車体前方側に配置されている。したがって、車両１２が後面衝突したきには、その衝突荷重は、各リアサブフレーム６５を介して、電池パック３０に直接的に入力され、燃料タンク２０に直接的に入力されるのが抑制又は防止される。よって、車両１２の後面衝突時に、燃料タンク２０への衝突荷重の入力を低減させることができ、燃料タンク２０が破損するような不具合の発生を抑制又は防止することができる。
【００５１】
また、重量物である燃料タンク２０と電池パック３０とが、前輪６６の車軸と後輪６８の車軸との間で、かつフロアパネル１４の車体下方側に前後に並んで配置されているため、車両１２における前部側及び後部側の荷重分担を最適化することができるとともに、車両１２の低重心化を図ることができる。したがって、車両１２の運動性能を向上させることができる。
【００５２】
なお、燃料タンク２０と電池パック３０とが、フロアパネル１４の車体下方側に配置されていると、それより上側となるボディのデザインに制約を受けなくて済む利点もある。そして特に、電池パック３０がフロアパネル１４の車体下方側に配置されていると、電池パック３０が後席５８の車体後方側に配置されている構成に比べて、車両１２のラゲージスペースを拡大させることができる利点がある。
【００５３】
また、燃料タンク２０は、メインタンク部２２がトンネル部１５内に配置される（高さを高く取れる）構成になっているため、その車幅方向の長さを低減させることができる。したがって、燃料タンク２０の車幅方向外側に、車体前後方向に延在する車体骨格部材としてのアンダーリインフォースメント６０を配置することができる。これにより、車両１２の後面衝突だけではなく、車両１２の前面衝突や側面衝突からも、燃料タンク２０を保護することができる。
【００５４】
更に、本実施形態に係る車両床下構造１０を備えた車両１２では、電池パック３０の車体後方側に後輪駆動用の走行用モーター４８を配置することができるため、前輪駆動と四輪駆動とに切り替え可能に構成されていない（前輪駆動用の走行用モーターしか配置できない）ハイブリッド車に比べて、商品力を高めることができる。
【００５５】
また、電池パック３０の車体上方側に、インレットパイプ２８が配管されているため、インレットパイプ２８を電池パック３０によって保護することができる。つまり、車両１２の走行時において、飛び石などにより、インレットパイプ２８に対して衝撃が加えられるのを抑制又は防止することができる。そして、電池パック３０の上面には、インレットパイプ２８の一部が配置される上凹部３４が形成されているため、車両１２の衝突時にも、インレットパイプ２８を電池パック３０によって保護することができる。
【００５６】
また、電池パック３０の車体下方側に、排気管４０が配管されているため（インレットパイプ２８が電池パック３０を挟んで排気管４０とは上下反対側に配置されているため）、インレットパイプ２８を排気管４０から離間して配置することができる。これにより、排気管４０によるインレットパイプ２８への熱害を低減させることができる。
【００５７】
また、電池パック３０の下面には、排気管４０の一部が配置される下凹部３６が形成されているため、車高の低い車両１２とされていても、排気管４０の搭載スペースを確保することができる。そして、電池パック３０と排気管４０との間には、断熱材３８が配置されているため、排気管４０による電池パック３０への熱害も低減させることができる。
【００５８】
＜第２実施形態＞
次に、第２実施形態に係る車両床下構造１０について説明する。なお、上記第１実施形態と同等の部位には、同じ符号を付して詳細な説明（共通する作用も含む）は適宜省略する。
【００５９】
図７に示されるように、この第２実施形態に係る車両床下構造１０では、上凹部３４と下凹部３６とが、平面視及び正面視で互いに車幅方向に離間して形成されている点が、上記第１実施形態と異なっている。つまり、上記第１実施形態に係る車両床下構造１０では、図６に示されるように、上凹部３４と下凹部３６とが共に車幅方向略中央部に（平面視及び正面視で互いに同一位置に）形成されているため、電池パック３０の車幅方向略中央部の厚さが局部的に薄くなっている。
【００６０】
しかしながら、この第２実施形態に係る車両床下構造１０では、上凹部３４と下凹部３６とが上下で同じ位置に形成されていないため、電池パック３０において、その厚さが局部的に薄くなる部分が生じるのを抑制又は防止することができ、その厚さをほぼ均一に確保することができる。よって、電池パック３０の剛性を上記第１実施形態に比べて高めることができる。そして、電池セル３２の数量を上記第１実施形態よりも増加させることができるため、走行用モーターでの航続距離を延ばすことができる。
【００６１】
＜第３実施形態＞
次に、第３実施形態に係る車両床下構造１０について説明する。なお、上記第１実施形態及び第２実施形態と同等の部位には、同じ符号を付して詳細な説明（共通する作用も含む）は適宜省略する。
【００６２】
図８に示されるように、この第３実施形態に係る車両床下構造１０では、排気管４０の一部が、電池パック３０の車体下方側に配管されない構成になっている。つまり、この第３実施形態における排気管４０は、燃料タンク２０の右側方を通るとともに、電池パック３０の右側方、即ち右側のロッカ５０の車幅方向内側を通って車体後方側へ延在されている。
【００６３】
そして、電池パック３０の右側方を通って車体後方側へ延在された排気管４０は、電池パック３０の車体後方側において車幅方向内側（左側）へ向けて屈曲され、更に車体後方側へ向けて屈曲されて延在され、上記第１実施形態と同様にメインマフラー４４に連通接続されている。
【００６４】
このように、第３実施形態における排気管４０は、電池パック３０と右側のロッカ５０との間を通って車体後方側へ延在するように配管されているため、燃料タンク２０の後部側における下面に、排気管４０を許容する凹部２２Ａを形成する必要がない。よって、燃料タンク２０の容量を上記第１実施形態に比べて増加させることができる。
【００６５】
また、このように排気管４０を配管すれば、電池パック３０の下面に下凹部３６を形成しなくて済む。よって、電池パック３０の剛性を上記第１実施形態に比べて高めることができる。そして、電池セル３２の数量を上記第１実施形態よりも増加させることができるため、走行用モーターでの航続距離を延ばすことができる。
【００６６】
以上、本実施形態に係る車両床下構造１０について、図面を基に説明したが、本実施形態に係る車両床下構造１０は、図示のものに限定されるものではなく、本発明の要旨を逸脱しない範囲内において、適宜設計変更可能なものである。例えば、電池パック３０の上面や下面に、それぞれ上凹部３４や下凹部３６が形成されない構成とされていてもよい。
【００６７】
また、電池パック３０に対する排気管４０からの熱害が低減される構成になっていれば、下凹部３６内に断熱材３８が設けられない構成とされていてもよい。また、排気管４０は、上記のように屈曲されて配管される構成に限定されるものではなく、例えば平面視で円弧状に湾曲されて配管される構成とされていてもよい。更に、図示の電池パック３０の高さは、サブタンク部２４の高さよりも高く、メインタンク部２２の高さよりも低くされているが、これに限定されるものではない。
【符号の説明】
【００６８】
１０  車両床下構造
１２  車両
１４  フロアパネル（床）
１６  エンジン
２０  燃料タンク
２６  給油口
２８  インレットパイプ
３０  電池パック
３４  上凹部
３６  下凹部
３８  断熱材
４０  排気管
【図１】
0006292205.tif 000002
【図２】
0006292205.tif 000003
【図３】
0006292205.tif 000004
【図４】
0006292205.tif 000005
【図５】
0006292205.tif 000006
【図６】
0006292205.tif 000007
【図７】
0006292205.tif 000008
【図８】
0006292205.tif 000009